(57)【要約】【課題】高速かつ高精度に再現性良く気体試料中の検出対象物質の濃度を測定できる濃度測定システムを提供する。【解決手段】濃度測定システム１において、酵素センサ１００と、酵素センサ１００による検出結果に基づいて検出対象物質の濃度を測定する測定装置２００と、を備え、酵素センサ１００は、気相室と液相室とを隔てるように配置され、少なくとも検出対象物質が透過する透過膜と、液相室に透過膜と対向して配置された電極と、透過膜と電極との間に配置され、電極に対して略垂直方向に貫通する貫通孔を複数有するスペーサと、を備え、測定装置２００は、計測された酵素センサ１００からの信号値の時間変化を表す時間変化曲線の初期部分を近似して得た近似直線の傾きを初期傾きとして算出し、予め記憶された検量線データから、当該算出された初期傾きに対応する検出対象物質の濃度を取得する。【選択図】図１
2010107335.tif 000002
【特許請求の範囲】
【請求項１】
センサと、
前記センサによる検出結果に基づいて流体試料中の検出対象物質の濃度を測定する測定装置と、
を備え、
前記センサは、
前記流体試料が供給される供給部と、
前記供給部と隣接するように配置された検出部と、
前記供給部と前記検出部とを隔てるように配置され、少なくとも前記検出対象物質が透過する透過膜と、
前記検出部に前記透過膜と対向して配置された検出素子と、
前記透過膜と前記検出素子との間に配置され、前記検出素子に対して略垂直方向に貫通する貫通孔を複数有するスペーサと、
を備え、
前記測定装置は、
前記センサからの信号値を計測する計測手段と、
前記計測手段により計測された信号値の時間変化を表す時間変化曲線に基づいて、当該時間変化曲線の初期部分を近似して得た近似直線の傾きを初期傾きとして算出する算出手段と、
前記初期傾きと、前記検出対象物質の濃度と、の関係を表す検量線データを予め記憶する記憶手段と、
前記記憶手段に記憶された検量線データから、前記算出手段により算出された初期傾きに対応する検出対象物質の濃度を取得する取得手段と、
を備えることを特徴とする濃度測定システム。
【請求項２】
請求項１に記載の濃度測定システムにおいて、
前記測定装置は、
前記流体試料を前記供給部に対して供給する供給ポンプと、
所定の流体物質を前記検出部に対して導入し、当該検出部内を洗浄する導入ポンプと、
を備えることを特徴とする濃度測定システム。
【請求項３】
請求項１又は２に記載の濃度測定システムにおいて、
前記検出素子は、多孔質カーボン電極であり、
前記検出部には、電子伝達体としてフェロセンカルボン酸及び／又はフェロセニルトリメチルアンモニウムブロミドが含有されていることを特徴とする濃度測定システム。
【請求項４】
酵素センサと、
前記酵素センサによる検出結果に基づいて気体試料中の検出対象物質の濃度を測定する測定装置と、
を備え、
前記酵素センサは、
前記気体試料が供給される気相室と、
前記気相室と隣接するように配置され、所定の電解液が導入される液相室と、
前記気相室と前記液相室とを隔てるように配置され、少なくとも前記検出対象物質が透過する透過膜と、
前記液相室に前記透過膜と対向して配置された電極と、
前記透過膜と前記電極との間に配置され、前記電極に対して略垂直方向に貫通する貫通孔を複数有するスペーサと、
前記液相室に含有され、前記検出対象物質と選択的に反応する酵素と、
を備え、
前記測定装置は、
前記気体試料を前記気相室に対して供給する吸気ポンプと、
前記所定の電解液を前記液相室に対して導入する送液ポンプと、
前記酵素センサからの信号値を計測する計測手段と、
前記計測手段により計測された信号値の時間変化を表す時間変化曲線に基づいて、当該時間変化曲線の初期部分を近似して得た近似直線の傾きを初期傾きとして算出する算出手段と、
前記初期傾きと、前記検出対象物質の濃度と、の関係を表す検量線データを予め記憶する記憶手段と、
前記記憶手段に記憶された検量線データから、前記算出手段により算出された初期傾きに対応する検出対象物質の濃度を取得する取得手段と、
を備え、
前記電極は、多孔質カーボン電極であり、
前記液相室には、電子伝達体としてフェロセンカルボン酸及び／又はフェロセニルトリメチルアンモニウムブロミドが含有されていることを特徴とする濃度測定システム。
【発明の詳細な説明】
【技術分野】
【０００１】
本発明は、濃度測定システムに関する。
【背景技術】
【０００２】
従来、センサを利用して、試料中の検出対象物質の濃度を測定する濃度測定システムが知られている。
具体的には、例えば、電極を備えたバイオセンサを用いて、ゼリー中のグルコース等の濃度を測定する濃度測定システムや魚肉中の遊離アミノ酸、脂肪酸、糖等の濃度を測定する濃度測定システム（例えば、特許文献１参照）、電極を備えたバイオセンサを用いて、排水中のアンモニア性窒素等の濃度を測定する濃度測定システム（例えば、特許文献２参照）、電極を備えたバイオセンサを用いて、液体試料中のヒト絨毛性ゴナドトロピン（ｈＣＧ）等の濃度を測定する濃度測定システム（例えば、特許文献３参照）、電極を備えたバイオセンサ（酵素センサ）を用いて、液体試料中の過酸化水素、酸化水素、グルコース等の濃度を測定する濃度測定システム（例えば、特許文献４参照）、電極を備えたバイオセンサ（酵素センサ）を用いて、液体試料中の溶存酸素等の濃度を測定する濃度測定システム（例えば、特許文献５参照）等が提案されている。
【０００３】
ここで、特許文献３には、センサからの信号の初速度（センサからの信号値の初期傾き）を用いて検出対象物質の量（濃度）を決定する方法が提案されている。この方法は、センサからの信号値が平衡に達するまで待つ必要がないため、測定時間が短縮でき、好適である。
【０００４】
ところで、特許文献１〜５記載のバイオセンサのように、酵素や微生物などの生体物質の特性を利用する場合、生体物質を機能させるためには水の存在が必要である。したがって、バイオセンサでは、検出素子（電極等）や生体物質を含有する検出部は、水（水溶液）で満たされた液相室となっている。このようなセンサを用いて、例えば、気体試料中の検出対象物質を検出するとなると、液相室から水が漏れたり蒸発したりするのを抑えるために、液相室を透過膜（ガス透過膜等）で覆う必要がある。
【特許文献１】特許第２６９００５３号公報
【特許文献２】特公平０６−０７２８５８号公報
【特許文献３】特許第２９３０８０９号公報
【特許文献４】特許第３２９９２１１号公報
【特許文献５】特開２００１−２０８７２０号公報
【発明の開示】
【発明が解決しようとする課題】
【０００５】
しかしながら、液相室が透過膜で覆われると、検出対象物質は、気体試料中から透過膜を介して液相室へと移動し、そして、液相室中の検出素子により検出されることになるが、検出対象物質の液相室中での拡散は、透過膜と検出素子との間の距離に依存するため、センサの感度は、透過膜と検出素子との間の距離によって変化する。したがって、透過膜に気体試料が吹き付けられる等して透過膜が変形し、透過膜と検出素子との間の距離が変化すると、センサによる検出が安定して行えなくなり、検出対象物質の濃度を、センサからの信号値の初期傾きを用いて高精度に決定することが困難になる。
【０００６】
本発明の課題は、高速かつ高精度に再現性良く気体試料中の検出対象物質の濃度を測定できる濃度測定システムを提供することにある。
【課題を解決するための手段】
【０００７】
上記課題を解決するために、請求項１に記載の発明は、
濃度測定システムにおいて、
センサと、
前記センサによる検出結果に基づいて流体試料中の検出対象物質の濃度を測定する測定装置と、
を備え、
前記センサは、
前記流体試料が供給される供給部と、
前記供給部と隣接するように配置された検出部と、
前記供給部と前記検出部とを隔てるように配置され、少なくとも前記検出対象物質が透過する透過膜と、
前記検出部に前記透過膜と対向して配置された検出素子と、
前記透過膜と前記検出素子との間に配置され、前記検出素子に対して略垂直方向に貫通する貫通孔を複数有するスペーサと、
を備え、
前記測定装置は、
前記センサからの信号値を計測する計測手段と、
前記計測手段により計測された信号値の時間変化を表す時間変化曲線に基づいて、当該時間変化曲線の初期部分を近似して得た近似直線の傾きを初期傾きとして算出する算出手段と、
前記初期傾きと、前記検出対象物質の濃度と、の関係を表す検量線データを予め記憶する記憶手段と、
前記記憶手段に記憶された検量線データから、前記算出手段により算出された初期傾きに対応する検出対象物質の濃度を取得する取得手段と、
を備えることを特徴とする。
【０００８】
請求項２に記載の発明は、
請求項１に記載の濃度測定システムにおいて、
前記測定装置は、
前記流体試料を前記供給部に対して供給する供給ポンプと、
所定の流体物質を前記検出部に対して導入し、当該検出部内を洗浄する導入ポンプと、
を備えることを特徴とする。
【０００９】
請求項３に記載の発明は、
請求項１又は２に記載の濃度測定システムにおいて、
前記検出素子は、多孔質カーボン電極であり、
前記検出部には、電子伝達体としてフェロセンカルボン酸及び／又はフェロセニルトリメチルアンモニウムブロミドが含有されていることを特徴とする。
【００１０】
請求項４に記載の発明は、
濃度測定システムにおいて、
酵素センサと、
前記酵素センサによる検出結果に基づいて気体試料中の検出対象物質の濃度を測定する測定装置と、
を備え、
前記酵素センサは、
前記気体試料が供給される気相室と、
前記気相室と隣接するように配置され、所定の電解液が導入される液相室と、
前記気相室と前記液相室とを隔てるように配置され、少なくとも前記検出対象物質が透過する透過膜と、
前記液相室に前記透過膜と対向して配置された電極と、
前記透過膜と前記電極との間に配置され、前記電極に対して略垂直方向に貫通する貫通孔を複数有するスペーサと、
前記液相室に含有され、前記検出対象物質と選択的に反応する酵素と、
を備え、
前記測定装置は、
前記気体試料を前記気相室に対して供給する吸気ポンプと、
前記所定の電解液を前記液相室に対して導入する送液ポンプと、
前記酵素センサからの信号値を計測する計測手段と、
前記計測手段により計測された信号値の時間変化を表す時間変化曲線に基づいて、当該時間変化曲線の初期部分を近似して得た近似直線の傾きを初期傾きとして算出する算出手段と、
前記初期傾きと、前記検出対象物質の濃度と、の関係を表す検量線データを予め記憶する記憶手段と、
前記記憶手段に記憶された検量線データから、前記算出手段により算出された初期傾きに対応する検出対象物質の濃度を取得する取得手段と、
を備え、
前記電極は、多孔質カーボン電極であり、
前記液相室には、電子伝達体としてフェロセンカルボン酸及び／又はフェロセニルトリメチルアンモニウムブロミドが含有されていることを特徴とする。
【発明の効果】
【００１１】
本発明によれば、センサは、透過膜と検出素子との間に配置され検出素子に対して略垂直方向に貫通する貫通孔を複数有するスペーサを有し、測定装置は、計測されたセンサからの信号値の時間変化を表す時間変化曲線に基づいて、当該時間変化曲線の初期部分を近似して得た近似直線の傾きを初期傾きとして算出し、予め記憶された、初期傾きと検出対象物質の濃度との関係を表す検量線データから、当該算出された初期傾きに対応する検出対象物質の濃度を取得することができる。
すなわち、スペーサを備えているため、透過膜と検出素子との間の距離を一定に保つことができるとともに、検出素子に対して略垂直方向に貫通する貫通孔を複数有するものをスペーサとして用いているため、スペーサを備えていても、検出対象物質の検出部中での拡散が制限されにくい。
したがって、検出対象物質の検出を安定して行うことができるとともに、時間変化曲線の初期部分を近似して得た近似直線の傾き（センサからの信号値の初期傾き）に基づいて検出対象物質の濃度を決定できるため、高速かつ高精度に再現性良く気体試料中の検出対象物質の濃度を測定できる。
【発明を実施するための最良の形態】
【００１２】
以下、図を参照して、本発明を実施するための最良の形態を詳細に説明する。なお、発明の範囲は、図示例に限定されない。
本実施形態では、センサとして酵素センサを例示して説明することとする。
【００１３】
＜濃度測定システム＞
図１は、本実施形態の濃度測定システム１の構成を示す図である。
濃度測定システム１は、例えば、酵素センサ１００を用いて、検出対象物質を検出して、その検出対象物質の濃度を測定するシステムである。
具体的には、濃度測定システム１は、例えば、図１に示すように、酵素センサ１００と、酵素センサ１００による検出結果に基づいて気体試料中の検出対象物質の濃度を測定する測定装置２００と、等を備えて構成される。
【００１４】
＜測定装置＞
図２は、本実施形態の濃度測定システム１が備える測定装置２００の機能的構成を示すブロック図である。
測定装置２００は、例えば、図１及び図２に示すように、計測回路２１１と、データ処理装置２１２と、表示装置２１３と、電解液タンク２２１と、廃液タンク２２２と、送液ポンプ２２３と、センサ温度調整装置２３１と、吸気ポンプ２４１と、ダストフィルタ２４２と、標準ガス提供装置２４３と、バルブ切替装置２５０と、制御装置２６０と、等を備えて構成される。
【００１５】
濃度測定システム１が備える酵素センサ１００は、検出素子としての電極１５０を備えており、酵素の特性を利用して気体試料中の検出対象物質を電気化学的計測法によって検出するセンサである。酵素センサ１００は、検出対象物質を含有する気体試料（ガス）が供給される供給部としての気相室Ｒ１と、水溶液（所定の電解液）が導入される検出部としての液相室Ｒ２と、を有しており、電極１５０は液相室Ｒ２に配置されており、酵素は液相室Ｒ２に含有される。
【００１６】
計測回路２１１は、例えば、制御装置２６０から入力される制御信号に従って、例えば、計測手段として、酵素センサ１００からの信号値を計測する。
具体的には、計測回路２１１は、例えば、酵素センサ１００に対して電圧を印加して酵素センサ１００からの信号値（応答電流値）を計測し、当該計測信号をデータ処理装置２１２に出力する。
【００１７】
データ処理装置２１２は、例えば、制御装置２６０から入力される制御信号に従って、計測回路２１１から入力された計測信号を処理して、当該計測信号に基づく数値データを作成し、表示装置２１３に出力する。
ここで、数値データとは、例えば、酵素センサ１００からの応答電流や検出対象物質の濃度などの数値に関するデータであれば任意であり、例えば、応答電流や濃度などの数値そのものに関するデータであっても良いし、当該数値の時間変化等に関するデータであっても良い。
【００１８】
表示装置２１３は、例えば、ＬＣＤ（Liquid Crystal Display）パネルなどから構成され、例えば、制御装置２６０から入力される制御信号に従って、データ処理装置２１２から入力された数値データに基づく数値情報や濃度測定システム１の使用方法などを表示する。
ここで、表示される数値情報は、例えば、応答電流や濃度などの数値そのものであっても良いし、制御装置２６０で数値処理されたものであっても良いし、当該数値の時間変化等をグラフ化したもの（時間変化曲線等）であっても良い。
なお、表示装置２１３のＬＣＤパネルなどは、タッチパネルと一体的に構成されたものであっても良い。
【００１９】
電解液タンク２２１は、電解液を貯めておくためのタンクであり、例えば、酵素センサ１００（液相室Ｒ２の電解液導入側）と、送液ポンプ２２３やバルブを介してチューブで接続されているとともに、酵素センサ１００（液相室Ｒ２の電解液排出側）と、バルブを介してチューブで接続されている。
ここで、電解液タンク２２１中の電解液は、例えば、酵素を含有する電解液（緩衝液に酵素を溶解させたもの）である。
【００２０】
なお、測定装置２００は、例えば、電解液タンク２２１中の電解液の温度を調整するための電解液温度調整装置（例えば、恒温槽等）を備えていても良い。この場合、液相室Ｒ２に導入される電解液の温度を調整して一定に保持することができるため、好適である。具体的には、電解液温度調整装置は、例えば、制御装置２６０から入力される制御信号に従って、電解液タンク２２１中の電解液の温度が、制御装置２６０から指定された温度となるよう、電解液タンク２２１中の電解液の温度を調整する。
【００２１】
また、測定装置２００は、電解液タンク２２１に加えて、例えば、電解液（酵素を含有する電解液）の温度を電解液保存温度（電解液に含有される酵素の失活を防ぐことができる温度（例えば、４℃））に保持できる電解液保存タンクを備えていても良い。この場合、電解液に含有される酵素が失活するのを防ぐことができるため、好適である。具体的には、例えば、測定装置２００は、電解液保存タンクと、電解液保存タンク用温度調整装置と、を備えて、電解液保存タンク中の電解液の温度を、常時、電解液保存温度に保持し、そして、電解液保存タンク中の電解液を、使用する分だけポンプ等を用いて電解液タンク２２１に移すようにすると良い。
ここで、制御装置２６０は、電解液タンク２２１に加えて電解液保存タンク及び電解液保存タンク用温度調整装置が備えられている場合、予め設定された電解液保存温度となるよう、電解液保存タンク用温度調整装置に制御信号を入力して、電解液保存タンク中の電解液の温度を調整させるようになっている。なお、電解液保存タンク中の電解液の温度は、酵素センサ１００を用いた検出対象物質濃度の測定の有無に関わらず、常時、電解液保存温度に保持されているのが好ましい。
【００２２】
廃液タンク２２２は、酵素センサ１００から排出された廃液を貯めておくためのタンクであり、例えば、酵素センサ１００（液相室Ｒ２の電解液排出側）と、バルブを介してチューブで接続されている。
【００２３】
送液ポンプ２２３は、電解液タンク２２１中の電解液を酵素センサ１００の液相室Ｒ２に対して導入するための導入ポンプであり、例えば、電解液タンク２２１と、バルブを介してチューブで接続されているとともに、酵素センサ１００（液相室Ｒ２の電解液導入側）と、バルブを介してチューブで接続されている。送液ポンプ２２３により電解液を液相室Ｒ２に対して導入することによって、酵素センサ１００による検出のために液相室Ｒ２内を電解液で満たすとともに、酵素センサ１００による検出の前後（検出の前のみであっても良いし、検出の後のみであっても良いし、検出の前と後との両方であっても良い。）に液相室Ｒ２内を洗浄するようになっている。
具体的には、送液ポンプ２２３は、例えば、制御装置２６０から入力される制御信号に従って、電解液タンク２２１中の電解液を、酵素センサ１００に対して導入する。
ここで、送液ポンプ２２３は、チューブを用いて送液できるポンプであれば任意であり、具体的には、例えば、ダイヤフラムポンプ等であっても良いし、ペリスタポンプやリングポンプなどのチューブをしごくタイプのポンプ等であっても良い。
【００２４】
なお、導入ポンプは、酵素センサ１００の前段（電解液導入側）に接続された送液ポンプ２２３に限ることはなく、電解液タンク２２１中の電解液を酵素センサ１００に対して送液（導入）できるポンプであれば任意であり、具体的には、例えば、酵素センサ１００の後段（電解液排出側）に接続された排出ポンプであっても良いし、酵素センサ１００の後段（電解液排出側）に接続された送液ポンプであっても良いし、酵素センサ１００の前段と後段との両方に接続されたポンプであっても良い。ここで、酵素センサ１００の後段に送液ポンプを接続する場合は、送液ポンプを吸引ポンプとして作動させることになる。
【００２５】
センサ温度調整装置２３１は、例えば、酵素センサ１００の温度を一定に保つための装置であり、具体的には、例えば、恒温槽等である。
具体的には、センサ温度調整装置２３１は、例えば、制御装置２６０から入力される制御信号に従って、酵素センサ１００の温度が、制御装置２６０から指定された温度（例えば、ユーザにより設定された温度）となるよう、酵素センサ１００の温度を調整する。
【００２６】
吸気ポンプ２４１は、外部大気（気体試料）を吸気して、酵素センサ１００の気相室Ｒ１に対して供給するための供給ポンプであり、例えば、ダストフィルタ２４２と、チューブで接続されているとともに、酵素センサ１００（気相室Ｒ１のガス導入側）と、バルブを介してチューブで接続されている。
具体的には、吸気ポンプ２４１は、例えば、制御装置２６０から入力される制御信号に従って、ダストフィルタ２４２を介して外部大気を吸気し、その吸気した外部大気を、酵素センサ１００に対して導入する。
なお、酵素センサ１００に導入された外部大気は、酵素センサ１００（気相室Ｒ１のガス排出側）から外部に排出されるようになっている。
【００２７】
標準ガス提供装置２４３は、例えば、検量線を作成する際に使用する標準ガス（基質（検出対象物質）を含有するガス）を提供するための装置であり、例えば、酵素センサ１００（気相室Ｒ１のガス導入側）と、バルブを介してチューブで接続されている。
具体的には、標準ガス提供装置２４３は、例えば、制御装置２６０から入力される制御信号に従って、制御装置２６０から指定された基質濃度の標準ガスを、酵素センサ１００に提供する。
なお、酵素センサ１００に導入される標準ガスは、酵素センサ１００（気相室Ｒ１のガス排出側）から外部に排出されるようになっている。
【００２８】
バルブ切替装置２５０は、例えば、制御装置２６０から入力される制御信号に従って、測定装置２００が備える各バルブを切り替える。
【００２９】
制御装置２６０は、例えば、測定装置２００を構成する各部を制御するための装置である。
具体的には、制御装置２６０は、例えば、図２に示すように、ＣＰＵ（Central Processing Unit）２６１と、ＲＡＭ（Random Access Memory）２６２と、メモリ部２６３と、記憶部２６４と、等を備えている。
【００３０】
ＣＰＵ２６１は、例えば、記憶部２６４に記憶された測定装置２００用の各種処理プログラムに従って各種の制御動作を行う。
【００３１】
ＲＡＭ２６２は、例えば、ＣＰＵ２６１によって実行される処理プログラムなどを展開するためのプログラム格納領域、入力データや上記処理プログラムが実行される際に生じる処理結果などを格納するデータ格納領域等を備える。
【００３２】
メモリ部２６３は、例えば、ＣＰＵ２６１から入力される制御信号に従って、所定のデータを記憶したり消去したりする。
具体的には、メモリ部２６３は、例えば、記憶手段として、酵素センサ１００からの信号値の初期傾きと、検出対象物質の濃度と、の関係を表す検量線データ２５３ａを記憶する。
【００３３】
記憶部２６４は、例えば、測定装置２００で実行可能なシステムプログラム、当該システムプログラムで実行可能な各種処理プログラム、これら各種処理プログラムを実行する際に使用されるデータ、ＣＰＵ２６１によって演算処理された処理結果のデータ等を記憶する。なお、プログラムは、コンピュータが読み取り可能なプログラムコードの形で記憶部２６４に記憶されている。
【００３４】
具体的には、記憶部２６４には、例えば、測定準備プログラム２６４ａと、検量線作成プログラム２６４ｂと、測定プログラム２６４ｃと、等が記憶されている。
【００３５】
測定準備プログラム２６４ａは、例えば、検出対象物質の濃度測定のための準備を行う機能を、ＣＰＵ２６１に実現させる。
【００３６】
検量線作成プログラム２６４ｂは、例えば、検出対象物質の濃度測定の前に、検量線データ２６３ａの作成を行い、当該作成した検量線データ２６３ａをメモリ部２６３に記憶させる機能を、ＣＰＵ２６１に実現させる。
【００３７】
測定プログラム２６４ｃは、例えば、酵素センサ１００を用いて、検出対象物質の濃度測定を行う機能を、ＣＰＵ２６１に実現させる。
具体的には、ＣＰＵ２６１は、例えば、計測回路２１１に酵素センサ１００からの信号値を計測させ、データ処理装置２１２において、当該計測された信号値の時間変化を表す時間変化曲線に基づいて酵素センサ１００からの信号値の初期傾きを算出し、メモリ部２６３に記憶された検量線データ２６３ａから当該算出された酵素センサ１００からの信号値の初期傾きに対応する検出対象物質の濃度を取得する。
【００３８】
ここで、酵素センサ１００からの信号値の初期傾きとは、計測された信号値の時間変化を表す時間変化曲線の初期部分を近似して得た近似直線の傾きのことである。
例えば、図３に示すような時間変化曲線が得られたとする。時間変化曲線の第１時間ｔ１から第２時間ｔ２までの部分を初期部分とし、その初期部分を近似して得た近似直線の傾きが、酵素センサ１００からの信号値の初期傾きとなる。
第１時間ｔ１は、時間０（酵素センサ１００への気体試料の供給を開始した時点）以上であれば任意であり、第２時間ｔ２は、第１時間ｔ１よりも大きく、第３時間ｔ３（酵素センサ１００からの信号値が平衡に達した時点）以下であれば任意であるが、規定の分解能で十分に各基質濃度に対応する初期部分（或いは、近似直線）を分離できるよう第１時間ｔ１及び第２時間ｔ２を設定するのが好ましい。
なお、第１時間ｔ１及び第２時間ｔ２は、例えば、予め規定されていることとする。
ＣＰＵ２６１は、かかる測定プログラム２６４ｃを実行することによって、算出手段及び取得手段として機能する。
【００３９】
＜酵素センサ＞
図４は、本実施形態の濃度測定システム１が備える酵素センサ１００の平面斜視図であり、図５は、図４のV−V線における断面を模式的に示す図であり、図６は、図４のVI−VI線における断面を模式的に示す図である。図７（ａ）は、透過膜１３０が取り付けられた状態の上側支持体１１０の底面図であり、図７（ｂ）は、電極１５０が形成された状態の下側支持体１２０の平面図である。図８は、スペーサ１７０を説明するための模式図である。
ここで、酵素センサ１００における気相室Ｒ１側を上側、液相室Ｒ２側を下側とし、パッド１６０が配置された側を前側、それに対向する側を後側とし、上下方向と前後方向の双方に直交する方向を左右方向とする。
【００４０】
酵素センサ１００は、例えば、図４〜図７に示すように、上側支持体１１０と、下側支持体１２０と、検出対象物質を含有する気体試料（ガス）が供給される気相室Ｒ１と、気相室Ｒ１と隣接するように配置され、水溶液（所定の電解液）が導入される液相室Ｒ２と、気相室Ｒ１と液相室Ｒ２とを隔てるように配置され、少なくとも検出対象物質が透過する透過膜１３０と、透過膜１３０を上側支持体１１０に固定するためのＯリング１４０と、液相室Ｒ１に透過膜１３０と対向して配置された３つの電極１５０（作用電極１５１、参照電極１５２、対電極１５３）と、電極１５０と配線１６１を介して接続された３つのパッド１６０と、透過膜１３０と電極１５０との間に配置されたスペーサ１７０と、上側支持体１１０を下側支持体１２０に固定するための複数のネジ１８０と、等を備えて構成される。
酵素センサ１００において、検出対象物質と選択的に反応する酵素は、液相室Ｒ２に含有され、酵素センサ１００は、透過膜１３０を透過して気相室Ｒ１から液相室Ｒ２に移行してきた検出対象物質を、電気化学的計測法によって検出するようになっている。
【００４１】
上側支持体１１０及び下側支持体１２０は、例えば、略円柱体を上下方向略中央の位置で上下方向に直交する方向（水平方向）に分割したものからなる。
上側支持体１１０は、例えば、平面視略Ｄ字形状となるように、すなわち、側面の一部が上下方向に沿って切り欠かれた平面部１１１となるように形成されている。そのため、下側支持体１２０の上面の一部は、例えば、外部に露出した露出部１２１となっている。
上側支持体１１０及び下側支持体１２０を構成する材料としては、電解液や試料などに対する耐腐食性が高い材料（例えば、疎水性の絶縁性材料、表面を疎水処理した絶縁性材料等）が好ましく、具体的には、例えば、セラミックス、ガラス、プラスチック、テフロン（登録商標）、ピーク材等を用いることができる。
【００４２】
上側支持体１１０には、例えば、上側支持体１１０の水平方向略中央の位置に配置され、下面が開口した平面視略円形状の凹部１１２と、凹部１１２の周囲に配置され、下面が開口した平面視略リング形状のＯリング収容部１１３と、酵素センサ１００の外部から気相室Ｒ１に向けてガス（気体試料）を導入するためのガス導入口１１４と、ガス導入口１１４と気相室Ｒ１とを連通するガス導入路１１５と、気相室Ｒ１から酵素センサ１００の外部に向けてガスを排出するためのガス排出口１１６と、ガス排出口１１６と気相室Ｒ１とを連通するガス排出路１１７と、等が設けられている。
ここで、特に、上側支持体１１０の表面、ガス導入口１１４、ガス導入路１１５、ガス排出口１１６、ガス排出路１１７、気相室Ｒ１、液相室Ｒ２等は、電解液や試料などに対する耐腐食性が高い材料（例えば、疎水性の絶縁性材料、表面を疎水処理した絶縁性材料等）で形成されるのが好ましい。
【００４３】
凹部１１２とＯリング収容部１１３とは、隔壁１１８によって隔てられている。
凹部１１２は、上側支持体１１０に透過膜１３０が取り付けられると上下方向に分離されるようになっており、分離された状態における、凹部１１２の上側の領域が気相室Ｒ１となり、下側の領域が液相室Ｒ２となる。したがって、透過膜１３０と電極１５０（作用電極１５１）との間の距離は、隔壁１１８の高さ（上下方向の長さ）によって規定される。
【００４４】
ガス導入路１１５は、例えば、凹部１１２の左側の位置に、左右方向に沿って形成されており、ガス排出路１１７は、例えば、凹部１１２の右側に左右方向に沿って形成されている。
【００４５】
下側支持体１２０は、例えば、下側支持体１２０の上面に水平方向略中央の位置から露出部１２１に亘って配置された左右方向に並ぶ３本の溝部１２２と、酵素センサ１００の外部から液相室Ｒ２に向けて電解液を導入するための電解液導入口１２３と、電解液導入口１２３と液相室Ｒ２とを連通する電解液導入路１２４と、液相室Ｒ２から酵素センサ１００の外部に向けて電解液を排出するための電解液排出口１２５と、電解液排出口１２５と液相室Ｒ２とを連通する電解液排出路１２６と、等が設けられている。
ここで、特に、下側支持体１２０の表面、電解液導入口１２３、電解液導入路１２４、電解液排出口１２５、電解液排出路１２６、液相室Ｒ２（液相室Ｒ２の気相室Ｒ２と対向する側の面を構成する領域）等は、電解液や試料などに対する耐腐食性が高い材料（例えば、疎水性の絶縁性材料、表面を疎水処理した絶縁性材料等）で形成されるのが好ましい。
【００４６】
電解液導入路１２４は、例えば、作用電極１５１と参照電極１５２との間の位置から下側支持体１２０の上下方向略中央の位置までの領域に上下方向に沿って形成された第１電解液導入路１２４ａと、第１電解液導入路１２４ａの左側に左右方向に沿って形成された第２電解液導入路１２４ｂと、からなる。
また、電解液排出口１２６は、例えば、作用電極１５１と対電極１５３との間の位置から下側支持体１２０の上下方向略中央の位置までの領域に上下方向に沿って形成された第１電解液排出路１２６ａと、第１電解液排出路１２６ａの右側に左右方向に沿って形成された第２電解液排出路２３６ｂと、からなる。
【００４７】
透過膜１３０は、例えば、透過膜１３０で上側支持体１１０の下面側から凹部１１２及びＯリング収容部１１３を覆い、そして、Ｏリング１４０を透過膜１３０の下面側に配して上方向に移動させてＯリング収容部１１３に収容することにより、上側支持体１１０に取り付けられるようになっている。
気相室Ｒ１に導入された検出対象物質（検出対象ガス）は、透過膜１３０を透過して液相室Ｒ２に移行し、そして、液相室Ｒ２に含有された酵素と反応するようになっている。したがって、透過膜１３０は、少なくとも検出対象物質が透過するガス透過膜であれば任意であり、検出対象物質の種類によって適宜変更可能である。
【００４８】
Ｏリング１４０は、例えば、上側支持体１１０に透過膜１３０を取り付けるためのものであるとともに、液相室Ｒ２を密閉して液相室Ｒ２に導入された電解液が漏れるのを防ぐためのものである。したがって、Ｏリング１４０としては、例えば、Ｏリング収容部１１３の高さ（上下方向の長さ）と同等又はそれ以上の厚みを有するものが好ましい。
また、Ｏリング１４０は、電解液や試料などに対する耐腐食性が高い材料で形成されるのが好ましい。
なお、液相室Ｒ２のサイズ（径）は、Ｏリング１４０の内径によって規定されるようになっているが、これに限ることはなく、例えば、電極１５０が配置された部分以外の部分を樹脂製絶縁膜等により被膜して、その樹脂製絶縁膜等によって被膜されていない部分のサイズで液相室Ｒ２のサイズを規定しても良い。
【００４９】
電極１５０は、例えば、下側支持体１２０により支持されている。
具体的には、例えば、電極１５０と、パッド１６０と、電極１５０とパッド１６０とを接続する配線１６１と、は下側支持体１２０が有する溝部１２２内に形成されており、電極１５０及び配線１６１は、電極１５０及び配線１６１の厚みが、溝部１２２の深さと略同一となるよう加工されている。これにより、面倒な制御をしなくても、電極１５０及び配線１６１の厚み（高さ）を均一で精密に規定できるため、透過膜１３０と電極１５０との間の距離をムラなく一定に保つことができる。
ここで、電極１５０を形成する材料は任意であるが、電子伝達体との関係により酵素センサ１００に対して印加する電圧を低電圧化できる等の観点から、電極１５０は、多孔質カーボン電極が好ましい。
【００５０】
スペーサ１７０は、例えば、液相室Ｒ２に配置され、透過膜１３０と電極１５０との間の距離を一定に保つためのものである。したがって、スペーサ１７０としては、例えば、透過膜１３０と電極１５０との間の距離と略同等の厚みを有するものが好ましい。
スペーサ１７０の材質としては、スペーサ１７０によって透過膜１３０と電極１５０との間の距離を一定に保つことができ、かつ、基質（検出対象物質）透過性の良好なものであれば任意であり、例えば、図８に示すように、電極１５０に対して略垂直方向に貫通する貫通孔１７０ａを複数有する材料が好ましい。具体的には、スペーサ１７０としては、例えば、具体的には、例えば、電極１５０に対して略垂直方向に貫通する貫通孔１７０ａを複数有する陽極酸化膜（アルミナ酸化膜等）などの多孔体、親水性テフロン膜などの親水性膜、ナイロンメッシュなどのメッシュ体等が挙げられる。
【００５１】
酵素は、検出対象物質と選択的に反応する酵素であれば任意であり、検出対象物質の種類によって適宜変更可能である。
具体的には、酵素は、例えば、酸化還元酵素、加水分解酵素、転移酵素、異性化酵素等の酵素（酵素タンパク質）である。
また、酵素は、例えば、生来の酵素分子であっても良いし、活性部位を含む酵素の断片であっても良い。当該酵素分子又は当該活性部位を含む酵素の断面は、例えば、動植物や微生物から抽出したものであっても良いし、所望によりそれを切断したものであっても良いし、遺伝子工学的に或いは化学的に合成したものであっても良い。
【００５２】
液相室Ｒ２に含有される酵素は、１種類の酵素であっても、２種類以上の酵素であっても良い。
具体的には、液相室Ｒ２に含有される酵素は、例えば、１種類の酵素であっても良いし、分子量及び／又はサイズ（径）が略同一の２種類以上の酵素であっても良いし、分子量及び／又はサイズが異なる２種類以上の酵素であっても良い。また、液相室Ｒ２に含有される酵素が２種類以上である場合、酵素は、例えば、同種の基質（検出対象物質）に作用する２種類以上の酵素であっても良いし、異種の基質に作用する２種類以上の酵素であっても良いし、同種及び／又は異種の基質に作用する２種類以上の酵素であっても良い。
ここで、特に、液相室Ｒ２に含有された酵素が２種類以上であって、その２種類以上の酵素が異種の基質に作用する場合、酵素センサ１００は、その異種の基質（２種類以上の検出対象物質）を同時に検出することができる。
【００５３】
また、液相室Ｒ２に導入される電解液には、酵素とともに、酵素の活性の発現を触媒するための補酵素や、酵素と電極１５０（作用電極１５１）との間の電子の受け渡しを促進するための電子伝達体などが含有されていても良い。
【００５４】
補酵素は、酵素（補酵素依存型酵素）の種類に応じて、適宜選択することができる。具体的には、補酵素としては、例えば、ニコチンアミドアデニンジヌクレオチド（ＮＡＤ＋）、ニコチンアミドアデニンジヌクレオチドリン酸（ＮＡＤＰ＋）、補酵素Ｉ、補酵素ＩＩ、フラビンモノヌクレオチド（ＦＭＮ）、フラビンアデニンジヌクレオチド（ＦＡＤ）、リポ酸、補酵素Ｑ等の１種又は２種以上の組み合わせが挙げられる。なかでも、ニコチンアミドアデニンジヌクレオチド（ＮＡＤ＋）、ニコチンアミドアデニンジヌクレオチドリン酸（ＮＡＤＰ＋）等のＮＡＤ系の補酵素が用いられる。
【００５５】
電子伝達体としては、例えば、フェリシアン化カリウム、フェロセン、フェロセン誘導体、ベンゾキノン、キノン誘導体、オスミウム錯体等が用いられるが、酵素センサ１００に対して印加する電圧を低電圧化できる等の観点から、液相室Ｒ２には、電子伝達体としてフェロセンカルボン酸及び／又はフェロセニルトリメチルアンモニウムブロミドが含有されていることが好ましい。
【００５６】
＜濃度測定処理＞
濃度測定システム１による、酵素センサ１００を用いた検出対象物質の濃度の測定に関する処理の一例を、図９のフローチャートを参照して説明する。
【００５７】
まず、例えば、ユーザが、濃度測定ステム１が備える操作ボタン（図示省略）やタッチパネル（図示省略）などを操作して、検出対象物質の濃度測定を開始するよう指示すると、ＣＰＵ２６１は、測定準備プログラム２６４ａを実行して、検出対象物質の濃度測定の準備を行う（ステップＳ１）。
【００５８】
具体的には、ＣＰＵ２６１は、例えば、センサ温度調整装置２３１に制御信号を入力して、初期設定温度等の予め設定された設定温度となるよう、酵素センサ１００の温度を調整させる。
なお、センサ温度調整装置２３１による酵素センサ１００温度の調整に加えて（或いは、代えて）、電解液タンク２３１中の電解液温度を初期設定温度などの予め定められた設定温度となるよう調整することによって、酵素センサ１００温度を調整するようにしても良い。
【００５９】
次いで、ＣＰＵ２６１は、例えば、計測回路２１１に制御信号を入力して、酵素センサ１００の参照電極１５２に対して作用電極１５１に所定の大きさの電圧を印加させて、酵素センサ１００からの信号値の計測を開始させる。
【００６０】
次いで、ＣＰＵ２６１は、例えば、バルブ切替装置２５０に制御信号を入力して、電解液タンク２２１中の電解液が酵素センサ１００に導入され、その酵素センサ１００から排出された電解液が廃液タンク２２２に送液されるよう、バルブを切り替えさせる。
次いで、ＣＰＵ２６１は、例えば、送液ポンプ２２３に制御信号を入力して、電解液タンク２２１中の電解液の送液を開始させる。これにより、酵素センサ１００（液相室Ｒ２）が洗浄される。
【００６１】
次いで、電解液の送液開始から一定時間経過後、ＣＰＵ２６１は、例えば、バルブ切替装置２５０に制御信号を入力して、酵素センサ１００から排出された電解液が電解液タンク２２１に送液されるよう、すなわち、電解液タンク２２１中の電解液が循環するよう、バルブを切り替えさせる。これにより、酵素センサ１００（液相室Ｒ２）が洗浄（循環洗浄）される。
次いで、酵素センサ１００からの信号値が安定すると、ＣＰＵ２６１は、例えば、送液ポンプ２２３に制御信号を入力して、電解液タンク２２１中の電解液の送液を停止させる。
ここで、電解液の送液が停止された段階では、酵素センサ１００の液相室Ｒ２は、電解液（酵素を含有する電解液）で完全に満たされた状態となっている。液相室Ｒ２を電解液で完全に満たすとともに、液相室Ｒ２内の不純物や気泡を取り除くという観点から、例えば、液相室Ｒ２の容積が１００μＬのとき、好ましい送液速度は０．０５〜３．０ｍＬ／ｍｉｎ、より好ましい送液速度は０．１ｍＬ／ｍｉｎであり、好ましい送液時間は１〜５０００秒間、より好ましい送液時間は１００秒間である。
【００６２】
次に、ＣＰＵ２６１は、検量線作成プログラム２６４ｂを実行して、検量線データ２６３ａを作成する（ステップＳ２）。
【００６３】
具体的には、ＣＰＵ２６１は、例えば、バルブ切替装置２５０に制御信号を入力して、標準ガス提供装置２４３中の標準ガスが酵素センサ１００に導入されるよう、バルブを切り替えさせる。
【００６４】
次いで、ＣＰＵ２６１は、例えば、標準ガス提供装置２４３に制御信号を入力して、標準ガスの基質濃度を指定し、当該指定された基質濃度の標準ガスを生成させて、当該生成された標準ガスを、一定時間の間（標準ガス供給開始からの経過時間が第２時間ｔ２以上となるまでの間）、酵素センサ１００に供給させる。そして、データ処理装置２３２において酵素センサ１００からの信号値の時間変化を表す時間変化曲線を作成して、データ処理装置２１２内の記憶領域（メモリ２６３等であっても良い。）に記憶させる。ＣＰＵ２６１は、この一連の処理を、指定する基質濃度の種類（指定する基質濃度の値）を切り替えて、繰り返し行う。なお、指定する基質濃度は３種類以上とする。
【００６５】
次いで、ＣＰＵ２６１は、例えば、データ処理装置２１２内の記憶領域に記憶された各基質濃度に対応する時間変化曲線に基づいて、酵素センサ１００からの信号値の初期傾きと、検出対象物質の濃度と、の関係を表す検量線データ２６３ａを作成する。すなわち、ＣＰＵ２６１は、例えば、縦軸が酵素センサ１００からの信号値の初期傾きであり、縦軸が標準ガスの基質濃度である検量線データ２６３ａを作成する。
【００６６】
次に、ＣＰＵ２６１は、ステップＳ２で作成した検量線データ２６３ａをメモリ部２６３に記憶させる（ステップＳ３）。
【００６７】
次に、ＣＰＵ２６１は、酵素センサ１００を洗浄する（ステップＳ４）。
具体的には、ＣＰＵ２６１は、例えば、バルブ切替装置２５０に制御信号を入力して、電解液タンク２２１中の電解液が酵素センサ１００に導入され、その酵素センサ１００から排出された電解液が廃液タンク２２２に送液されるよう、バルブを切り替えさせる。
次いで、ＣＰＵ２６１は、例えば、送液ポンプ２２３に制御信号を入力して、電解液タンク２２１中の電解液の送液を開始させる。
【００６８】
次に、ステップＳ４での酵素センサ１００の洗浄開始から一定時間経過後、ＣＰＵ２６１は、酵素センサ１００を循環洗浄する（ステップＳ５）。
具体的には、ステップＳ４での電解液の送液開始から一定時間経過後、ＣＰＵ２６１は、例えば、バルブ切替装置２５０に制御信号を入力して、酵素センサ１００から排出された電解液が電解液タンク２２１に送液されるよう、すなわち、電解液タンク２２１中の電解液が循環するよう、バルブを切り替えさせる。
次いで、酵素センサ１００からの信号値が安定すると、ＣＰＵ２６１は、例えば、送液ポンプ２２３に制御信号を入力して、電解液タンク２２１中の電解液の送液を停止させる。
【００６９】
次に、ＣＰＵ２６１は、測定プログラム２６４ｃを実行して、酵素センサ１００を用いて、検出対象物質の濃度を測定する（ステップＳ６）。
【００７０】
具体的には、ＣＰＵ２６１は、例えば、バルブ切替装置２５０に制御信号を入力して、吸気ポンプ２４１により吸気された外部大気（気体試料）が酵素センサ１００に導入されるよう、バルブを切り替えさせる。
次いで、ＣＰＵ２６１は、例えば、吸気ポンプ２４１に制御信号を入力して、吸気した外部大気を、一定時間の間（外部大気供給開始からの経過時間が第２時間ｔ２以上となるまでの間）、酵素センサ１００に供給させる。
【００７１】
次いで、計測回路２１１により信号値の時間変化が計測されると、ＣＰＵ２６１は、データ処理装置２１２において、時間変化曲線を作成し、当該作成された時間変化曲線に基づいて酵素センサ１００の初期傾きを算出し、メモリ部２６３に記憶された検量線データ２６３ａから当該算出された初期傾きに対応する検出対象物質の濃度を取得する。
【００７２】
次に、ＣＰＵ２６１は、例えば、表示装置２３０に制御信号を入力して、当該取得された検出対象物質の濃度を表示させる（ステップＳ７）。
【００７３】
次に、ＣＰＵ２６１は、酵素センサ１００を洗浄する（ステップＳ８）。
【００７４】
次に、ステップＳ８での酵素センサ１００の洗浄開始から一定時間経過後、ＣＰＵ２６１は、酵素センサ１００を循環洗浄する（ステップＳ９）。
【００７５】
次に、ＣＰＵ２６１は、次の測定を行うか否かを判断する（ステップＳ１０）。
具体的には、例えば、ユーザが、濃度測定ステム１が備える操作ボタン（図示省略）やタッチパネル（図示省略）などを操作して、次の測定を行うと指示した場合に、ＣＰＵ２６１は、次の測定を行うと判断する。或いは、ユーザが操作部を操作して予め設定した測定回数又は測定時間に基づいて、ＣＰＵ２６１は、次の測定を行うか否かを判断する。
【００７６】
ステップＳ１０で、次の測定を行うと判断すると（ステップＳ１０；Ｙｅｓ）、ＣＰＵ２６１は、ステップＳ９の処理によって、酵素センサ１００からの信号値が安定した後、ステップＳ６以降の処理を繰り返して行う。
【００７７】
一方、次の測定を行わないと判断すると（ステップＳ１０；Ｎｏ）、ＣＰＵ２６１は、本処理を終了する。
【実施例１】
【００７８】
以下、具体的な実施例によって本発明を説明するが、発明はこれらに限定されるものではない。
【００７９】
本実施例では、ホルムアルデヒドガスを検出するための酵素センサ１００を作成して評価するとともに、当該作成した酵素センサ１００を用いて検量線データ２６３ａを作成した。
電極１５０として、多孔質カーボン電極を用い、スペーサ１７０として、電極１５０に対して略垂直方向に貫通する貫通孔１７０ａを複数有するアルミナ酸化膜を用い、酵素として、補酵素（ＮＡＤ＋）依存型酵素であるホルムアルデヒドデヒドロゲナーゼ（ホルムアルデヒド脱水素酵素）を用い、補酵素として、ＮＡＤ＋を用い、電子伝達体として、フェロセンカルボン酸を用いた。
【００８０】
＜電極と電子伝達体の組み合わせの評価＞
電極１５０のサイクリックボルタンメトリー測定（ＣＶ測定）を行うことによって、電極１５０としての多孔質カーボン電極と、液相室Ｒ２に含有される電子伝達体としてのフェロセンカルボン酸と、の組み合わせについて評価した。
【００８１】
（電極の作成）
まず、絶縁体であるピーク材を使用して、旋盤やフライス盤などを用いて、下側支持体１２０を作成した。溝部１２２の深さを１０μｍとした。
次いで、下側支持体１２０の上面に、作用電極１５１、参照電極１５２及び対電極１５３の三極構造のパターンを作成した。具体的には、溝部１２２にスクリーン印刷によってカーボンを塗布し、ホットプレートを用いて１２０℃で２時間ポストベークした後、一晩、暗室にて乾燥させ、電極１５０の厚みが溝部１２２の深さと略同一となるよう、研磨機にて電極１５０の表面を研磨した。その後、作用電極１５２のパターン上に銀／塩化銀インクを塗布して１２０℃で焼結し、銀／塩化銀電極である参照電極１５２を作成した。
【００８２】
（第１評価用電解液の作成）
補酵素（ＮＡＤ＋）を還元したもの（ＮＡＤＨ）と、酸化型の電子伝達体（酸化型のフェロセンカルボン酸）と、を用意し、ＮＡＤＨ２０ｍｇと、酸化型のフェロセンカルボン酸５ｍｇと、を２０ｍＬのリン酸緩衝液（ｐＨ７．４）に溶解させて、第１評価用電解液（酵素が含有されていない電解液）を作成した。
【００８３】
（評価）
作成した電極１５０上に、作成した第１評価用電解液を６０μＬ滴下して、ＣＶ測定を行った。その結果を図１０に示す。
ここで、還元型の補酵素であるＮＡＤＨは、酸化型の電子伝達体と共存すると、酸化されてＮＡＤ＋となり、当該酸化型の電子伝達体は、還元されて還元型の電子伝達体となる（ＮＡＤＨ＋酸化型の電子伝達体→ＮＡＤ＋＋還元型の電子伝達体）。この際、電極１５０に電圧を印加しておくと、当該還元型の電子伝達体は、電極１５０に電子を与えて、酸化型の電子伝達体に戻る（還元型の電子伝達体→酸化型の電子伝達体＋Ｈ＋＋２ｅ−）。したがって、電極１５０のＣＶ測定により、ＮＡＤＨの酸化電流を調べることができる。
【００８４】
図１０においては、縦軸に応答電流（μＡ）、横軸に印加電圧（Ｖ）を示す。また、実線で本実施例の結果を示し、破線で比較例１の結果（第１評価用電解液に含有されているフェロセンカルボン酸に代えて、ナフトキノンを使用した場合の結果）を示し、一点鎖線で比較例２の結果（下側支持体１２０が備える電極１５０として多孔質カーボン電極に代えて、白金電極を使用した場合の結果）を示す。
【００８５】
図１０の結果から、実施例では、ＮＡＤＨの酸化電流のピークが＋０．０８Ｖに観測され、比較例１では、ＮＡＤＨの酸化電流のピークが＋０．３５Ｖに観測され、比較例２では、ＮＡＤＨの酸化電流のピークが観測されなかった。
すなわち、実施例は、比較例１及び比較例２よりも低い印加電圧でＮＡＤＨの酸化電流のピークが得られることが分かった。
したがって、検出対象物質を検出する際の印加電圧を低電圧化するという観点から、多孔質カーボン電極とナフトキノンの組み合わせ（比較例１）及び白金電極とフェロセンカルボン酸の組み合わせ（比較例２）よりも、多孔質カーボン電極とフェロセンカルボン酸の組み合わせ（実施例）の方が好ましいことが分かった。
【００８６】
＜スペーサの評価＞
酵素センサ１００からの応答電流値を計測することによって、電極１５０に対して略垂直方向に貫通する貫通孔１７０ａを複数有するスペーサ１７０について評価した。
【００８７】
（センサヘッドの作成）
まず、センサヘッドを作成した。
ここで、センサヘッドとは、液相室Ｒ２に電解液（酵素を含有する電解液）が導入される前の酵素センサ１００のことである。
【００８８】
まず、絶縁体であるピーク材を使用して、旋盤やフライス盤などを用いて、上側支持体１１０と下側支持体１２０とを作成した。
溝部１２２の深さを１０μｍ、液相室Ｒ２の容積を１００μＬとした。また、透過膜１３０と電極１５０との間の距離が３０μｍとなるよう隔壁１１８の高さを調整した。
【００８９】
次いで、上記した“＜電極と電子伝達体の組み合わせの評価＞”での作成方法と同様の方法で、下側支持体１２０の上面に、作用電極１５１、参照電極１５２及び対電極１５３の三極構造のパターンを作成した。
【００９０】
次いで、Ｏリング１４０を用いて上側支持体１１０に透過膜１３０（ゴアテックス製テフロン膜）を固定するとともに、透過膜１３０と電極１５０との間の距離（３０μｍ）と略同一の厚みを有するスペーサ１７０（厚み：３０μｍ、孔径：２００ｎｍ、アルミナ酸化膜）を電極１５０上に配置した。
次いで、下側支持体１２０の上に上側支持体１１０を配置して、ネジ１８０を用いて上側支持体１１０を下側支持体１２０に固定し、センサヘッドを作成した。
【００９１】
（第２評価用電解液の作成）
ホルムアルデヒド脱水素酵素４ｍｇを、１ｍＭのＮＡＤ＋及び１ｍＭのフェロセンカルボン酸を含む２ｍＬのリン酸緩衝液（ｐＨ７．４１）に溶解させて、第２評価用電解液を作成した。
【００９２】
（評価）
まず、作成した第２評価用電解液を電解液タンク２２１中に入れた。
次いで、作成したセンサヘッドを濃度測定システム１における酵素センサ１００の位置に組み込んだ。具体的には、センサヘッドの電解液導入口１２３を測定装置２００の送液ポンプ２２３と接続し、センサヘッドの電解液排出口１２５を測定装置２００の廃液タンク２２２及び送液ポンプ２２３と接続し、センサヘッドのガス導入口１１４を測定装置２００の吸気ポンプ２４１及び標準ガス提供装置２４３と接続し、センサヘッドのパッド１６０を測定装置２００の計測回路２１１と接続した。
【００９３】
次いで、測定の準備を行った。具体的には、作成したセンサヘッドを、第２評価用電解液で洗浄及び循環洗浄することによって、液相室Ｒ２に電解液（酵素を含有する電解液）を導入し、酵素センサ１００とした。洗浄及び循環洗浄は、送液速度０．１ｍＬ／ｍｉｎで行い、循環洗浄は１００秒間行った。
次いで、標準ガス提供装置２４３により標準ガス（ホルムアルデヒドガス）を生成して、酵素センサ１００に供給し、酵素センサ１００からの信号値（応答電流値）を計測した。標準ガスの基質濃度を１００ｐｐｂとし、標準ガスの導入速度を３００ｍＬとした。その結果を図１１に示す。
【００９４】
図１１は、時間変化曲線であり、縦軸に応答電流（ｎＡ）、横軸にガス供給開始からの経過時間（ｍｉｎ）を示す。図１１には２つの時間変化曲線を示しているが、上側の時間変化曲線が本実施例の結果であり、下側の時間変化曲線が比較例３の結果（酵素センサ１００が備えるスペーサ１７０として電極１５０に対して略垂直方向に貫通する貫通孔１７０ａを複数有するアルミナ酸化膜に代えて、ランダムに孔の開いたテフロン製の膜（厚み：３０μｍ）を使用した場合の結果）である。
【００９５】
図１１の結果から、比較例３は、実施例よりも、時間変化曲線の立ち上がりが鈍く、感度が悪いことが分かった。また、比較例３は、時間変化曲線の立ち上がりが鈍いため、酵素センサ１００からの信号値の初期傾きを用いて検出対象物質の濃度を決定するのが困難であることが分かった。
したがって、酵素センサ１００からの信号値の初期傾きを用いて検出対象物質の濃度を決定するという観点から、ランダムに穴の開いたスペーサを用いた場合（比較例３）よりも、電極１５０に対して略垂直方向に貫通する貫通孔１７０ａを有するスペーサ１７０を用いた場合（実施例）の方が好ましいことが分かった。
【００９６】
＜検量線データの作成＞
酵素センサ１００に導入する標準ガスの基質濃度を順次変えて、当該酵素センサ１００からの応答電流を計測することにより、検量線データ２６３ａを作成した。
【００９７】
（センサヘッドの作成）
上記した“＜スペーサの評価＞”での作成方法と同様の方法で、センサヘッドを作成した。
【００９８】
（第２評価用電解液の作成）
上記した“＜スペーサの評価＞”での作成方法と同様の方法で、第２評価用電解液を作成した。
【００９９】
（時間変化曲線の作成）
まず、作成した第２評価用電解液を電解液タンク２２１中に入れた。
次いで、作成したセンサヘッドを濃度測定システム１における酵素センサ１００の位置に組み込んだ。
【０１００】
次いで、測定の準備を行った。具体的には、作成したセンサヘッドを、第２評価用電解液で洗浄及び循環洗浄することによって、液相室Ｒ２に電解液（酵素を含有する電解液）を導入し、酵素センサ１００とした。洗浄及び循環洗浄は、送液速度０．１ｍＬ／ｍｉｎで行い、循環洗浄は１００秒間行った。
次いで、標準ガス提供装置２４３により標準ガス（ホルムアルデヒドガス）を生成して、酵素センサ１００に導入し、酵素センサ１００からの信号値（応答電流値）を計測した。標準ガスの基質濃度を４ｐｐｂ、４０ｐｐｂ、１００ｐｐｂ、２００ｐｐｂ、３００ｐｐｂ、４００ｐｐｂ及び１２００ｐｐｂとし、標準ガスの導入速度を３００ｍＬとした。その結果を図１２に示す。
【０１０１】
図１２は、時間変化曲線であり、縦軸に応答電流（ｎＡ）、横軸にガス供給開始からの経過時間（ｍｉｎ）を示す。図１２には７つの時間変化曲線を示しているが、一番下から順に基質濃度が４ｐｐｂ、４０ｐｐｂ、１００ｐｐｂ、２００ｐｐｂ、３００ｐｐｂ、４００ｐｐｂ、１２００ｐｐｂの標準ガスを導入して得た時間変化曲線である。
【０１０２】
図１２の結果から、基質濃度が大きくなるにつれて、時間変化曲線の立ち上がりが鋭くなっていくことが分かった。
【０１０３】
（近似直線の取得）
次いで、第１時間ｔ１を１分とし、第２時間ｔ２を６分として、図１２に示す７つの時間変化曲線から初期部分を抜き出すとともに、その初期部分を近似して近似直線を得た。その結果を図１３に示す。
【０１０４】
図１３は、時間変化曲線の初期部分であり、縦軸に応答電流（ｎＡ）、横軸にガス供給開始からの経過時間（ｍｉｎ）を示す。図１３には７つの時間変化曲線を示しているが、一番下から順に基質濃度が４ｐｐｂ、４０ｐｐｂ、１００ｐｐｂ、２００ｐｐｂ、３００ｐｐｂ、４００ｐｐｂ、１２００ｐｐｂの標準ガスを導入して得た時間変化曲線である。また、図１３には各時間変化曲線の初期部分に沿って破線で直線を示しているが、これらが得られた近似直線である。
【０１０５】
図１３の結果から、時間変化曲線の初期部分は、精度良く直線と一致することが分かった。
【０１０６】
（検量線データの作成）
次いで、図１３に示す各近似直線の傾きを求めて、検量線データ２６３ａ（１回目の検量線データ２６３ａ）を作成した。
次いで、上記した“（時間変化曲線の作成）”及び上記した“（近似直線の取得）”の処理を再度行い、各近似直線の傾きを求めて、検量線データ２６３ａ（２回目の検量線データ２６３ａ）を作成した。
次いで、上記した“（時間変化曲線の作成）”及び上記した“（近似直線の取得）”の処理を再度行い、各近似直線の傾きを求めて、検量線データ２６３ａ（３回目の検量線データ２６３ａ）を作成した。
その結果を図１４に示す。
【０１０７】
図１４においては、縦軸に酵素センサ１００からの信号値（応答電流値）の初期傾き、横軸に酵素センサ１００に導入した標準ガスの基質濃度（ｐｐｂ）を示す。また、四角プロット（□）で１回目の検量線データ２６３ａを示し、三角プロット（△）で２回目の検量線データ２６３ａを示し、菱形プロット（◇）で３回目の検量線データ２６３ａを示す。
【０１０８】
図１４の結果から、良好な検量線データ２６３ａが得られることが分かった。特に０〜４００ｐｐｂでの線形性は良好であることが分かった。
また、１〜３回目の各検量線データ２６３ａは精度良く一致し、ばらつきは５％以内であり、再現性が高いことが分かった。
すなわち、酵素センサ１００からの信号値の計測を、酵素センサ１００へのガス供給開始から６分間行うだけで、サブｐｐｂレベルの検出対象物質の濃度を測定できることが分かった。
以上の結果から、本実施例の酵素センサ１００は、高速（例えば、１０分以下の測定時間で）かつ高精度に再現性良く気体試料中の検出対象物質の濃度を測定できることが分かった。
【０１０９】
以上説明した本発明の濃度測定システム１によれば、酵素センサ１００と、酵素センサ１００による検出結果に基づいて気体試料中の検出対象物質の濃度を測定する測定装置２００と、を備えている。そして、酵素センサ１００は、気体試料が供給される気相室Ｒ１と、気相室Ｒ１と隣接するように配置され、所定の電解液が導入される液相室Ｒ２と、気相室Ｒ１と液相室Ｒ２とを隔てるように配置され、少なくとも検出対象物質が透過する透過膜１３０と、液相室Ｒ２に透過膜１３０と対向して配置された電極１５０と、透過膜１３０と電極１５０との間に配置され、電極１５０に対して略垂直方向に貫通する貫通孔１７０ａを複数有するスペーサ１７０と、を備えている。また、測定装置２００は、酵素センサ１００からの信号値を計測する計測回路２２１と、酵素センサ１００からの信号値の初期傾きと、検出対象物質の濃度と、の関係を表す検量線データ２６３ａを予め記憶するメモリ部２６３と、を備え、計測回路２２１により計測された信号値の時間変化を表す時間変化曲線に基づいて、当該時間変化曲線の初期部分を近似して得た近似直線の傾きを初期傾きとして算出し、メモリ部２６３に記憶された検量線データ２６３ａから、当該算出された初期傾きに対応する検出対象物質の濃度を取得することができる。
すなわち、スペーサ１７０を備えているため、透過膜１３０と電極１５０との間の距離を一定に保つことができる。また、透過膜１３０と電極１５０との間にスペーサを備えると、検出対象物質の液相室Ｒ２中での拡散が制限されて、センサの応答が遅くなり、検出対象物質の濃度を、センサからの信号値の初期傾きを用いて高精度に決定することが困難になるが、電極１５０に対して略垂直方向に貫通する貫通孔１７０ａを複数有するものをスペーサ１７０として用いているため、スペーサ１７０を備えていても、検出対象物質の液相室Ｒ２中での拡散が制限されにくい。
したがって、検出対象物質の検出を安定して行うことができるとともに、時間変化曲線の初期部分を近似して得た近似直線の傾き（酵素センサ１００からの信号値の初期傾き）に基づいて、検出対象物質の濃度を決定できるため、高速かつ高精度に再現性良く気体試料中の検出対象物質の濃度を測定できる。
【０１１０】
また、以上説明した本発明の濃度測定システム１によれば、測定装置２００は、気体試料を気相室Ｒ１に対して供給する吸気ポンプ２４１と、所定の電解液を液相室Ｒ２に対して導入し、当該液相室Ｒ２内を洗浄する送液ポンプ２２３と、を備えている。
したがって、気相室Ｒ１に対して強制的に気体試料を供給できるため、より高速に測定を行うことができる。また、液相室Ｒ２に対して強制的に電解液を導入して液相室Ｒ２内を洗浄することができるため、より高速に測定を開始できるとともに、より高速に次の測定へと移行することができる。
【０１１１】
また、以上説明した本発明の濃度測定システム１によれば、電極１５０は、多孔質カーボン電極であり、液相室Ｒ２には、電子伝達体としてフェロセンカルボン酸及び／又はフェロセニルトリメチルアンモニウムブロミドが含有されている。
したがって、従来よりも酵素センサ１００に対する印加電圧を低電圧化することができ、より選択的に気体試料中の検出対象物質の濃度を測定することができる。
すなわち、従来のセンサでは、電子伝達体を使用しても３００ｍＶ以上の電圧を印加していたが、この場合、酵素自体の選択性が高くても、液相室Ｒ２中に含有される他の物質が電極１５０で酸化されたり還元されたりして選択性が低下するという問題があった。しかしながら、本発明では、印加電圧を１００ｍＶ以下にすることができ、従来よりも酵素センサ１００に対する印加電圧を低電圧化することができるため、より選択的に気体試料中の検出対象物質の濃度を測定することができる。
【０１１２】
なお、本発明は、上記した実施の形態のものに限るものではなく、その要旨を逸脱しない範囲で適宜変更可能である。
【０１１３】
上記実施形態において、センサ温度調整装置２３１は、恒温槽に限定されるものではなく、酵素センサ１００（電極１５０）の温度を調整することができるのであれば任意であり、例えば、酵素センサ１００に内蔵された小型ヒータ等であっても良い。
【０１１４】
センサヘッド（酵素センサ１００）の構造は、上記実施形態のものに限ることはなく、気相室Ｒ１と、液相室Ｒ２と、透過膜１３０と、電極１５０と、スペーサ１７０と、を備えているのであれば任意である。例えば、ガスの流路（ガス導入路１１５及びガス排出路１１６）に略平行するように、電解液の流路（電解液導入路１２４及び電解液排出路１２６）を形成したが、これに限ることはなく、例えば、ガスの流路に略直交するように、電解液の流路を形成しても良い。
【０１１５】
上記実施形態において、液相室Ｒ２に導入する電解液として酵素が含有された電解液を使用することによって、酵素を液相室Ｒ２に含有させることとしたが、酵素を液相室Ｒ２に含有させる方法は、これに限定されるものではなく、公知の固定化方法で電極１５０（作用電極１５１）上に固定する方法であっても良いし、公知の固定化方法でスペーサ１７０に固定する方法であっても良い。この場合、液相室Ｒ２に導入する電解液として酵素が含有されていない電解液を使用すると良い。
また、電子伝達体や補酵素についても同様である。
【０１１６】
上記実施形態において、濃度測定システム１（測定装置２００）に標準ガス提供装置２４３を備えて、標準ガスを用いて検量線データ２６３ａを作成するようにしたが、これに限ることはなく、例えば、濃度測定システム１は、標準ガス提供装置２４３を備えていなくても良い。標準ガス提供装置２４３はサイズが大きすぎて持ち運びが困難であるが、標準ガス提供装置２４３を備えないようにすると、酵素センサ１００及び測定装置２００を筐体（サイズ：例えば、２０ｃｍ×１０ｃｍ×１５ｃｍ）内に収納して、濃度測定システム１を持ち運び可能とすることができる。
この場合、例えば、予め外部装置である標準ガス提供装置２４３を用いて作成した検量線データを取得してメモリ部２６３等に記憶しておき、濃度測定を行う度に、予めメモリ部２６３等に記憶されている補正用データ（例えば、酵素センサ１００の経時劣化や温度依存性のデータ）に基づいてメモリ部２６３等に記憶しておいた当該検量線データを補正し、そして、その補正された検量線データ（検量線データ２６３ａ）を用いて濃度を決定するのが好ましい。この場合、図９において、操作としてのステップＳ２及びステップＳ３の処理は省くこととなる。
【０１１７】
上記実施形態において、濃度測定システム１（測定装置２００）に標準ガス提供装置２４３を備えて、標準ガスを用いて検量線データ２６３ａを作成するようにしたが、これに限ることはなく、例えば、標準ガス提供装置２４３に加えて（或いは、代えて）、標準液提供装置を備えて、標準液を用いて検量線データを作成するようにしても良い。この場合、標準液提供装置は、例えば、送液ポンプ２２３の前段（すなわち、電解液タンク２２１と送液ポンプ２２３との間のバルブ）に接続すると良い。
標準ガス提供装置２４３に代えて標準液提供装置を備える場合、標準液提供装置は、標準ガス提供装置２４３に比べてサイズが小さいため、酵素センサ１００及び測定装置２００を筐体（サイズ：例えば、２０ｃｍ×１０ｃｍ×１５ｃｍ）内に収納して、濃度測定システム１を持ち運び可能とすることができる。
濃度測定システム１により気体試料中の検出対象物質の濃度を測定する場合、標準ガスを用いて作成した検量線データを用いて濃度を決定するのが好ましいため、標準液を用いて作成した検量線データを用いて検出対象物質の濃度を決定する場合は、予め、標準ガスを用いて作成した検量線データと、標準液を用いて作成した検量線データと、の相関を取得してメモリ部２６３等に記憶しておき、濃度測定を行う際、標準液を用いて検量線データを作成する度に、当該相関に基づいて当該作成した検量線データ（標準液を用いて作成した検量線データ）を補正し、そして、その補正された検量線データ（検量線データ２６３ａ）を用いて濃度を決定するのが好ましい。なお、標準液を用いて検量線データを作成する際は、公知の固定化方法で酵素を電極１５０上に固定したり、公知の固定化方法で酵素をスペーサ１７０に固定したりしておくのが好ましい。
【０１１８】
上記実施形態において、供給部である気相室Ｒ１に気体試料を供給するようにしたが、供給部に供給する試料は流体試料であれば任意であり、例えば、液体試料を供給するようにしても良い。
また、上記実施形態において、検出部である液相室Ｒ２に所定の電解液を導入するようにしたが、検出部内を満たす物質（検出部内を洗浄する物質）は流体物質であれば任意であり、例えば、所定の気体であっても良い。
【０１１９】
上記実施形態において、液相室Ｒ２に酵素を含有させるようにしたが、これに限定されるものではなく、液相室Ｒ２には、検出対象物質と選択的に反応する生体物質（生体由来の分子識別素子）、具体的には、例えば、酵素等の生体触媒、抗原、抗体、脂質、細胞、菌、ＤＮＡ、糖鎖等が含有されていれば良い。
さらに、上記実施形態において、液相室Ｒ２に酵素（生体物質）を含有させるようにしたが、これに限定されるものではなく、液相室Ｒ２には、検出対象物質と選択的に反応する反応物質、具体的には、例えば、上記生体物質、金属触媒、有機触媒、無機触媒、各種ポリマー、ポリマーコンプレックス、ポリイオンコンプレックス、吸光物質、蛍光物質等が含有されていれば良い。なお、液相室Ｒ２に含有される反応物質の種類は、１種類であっても良いし、複数種類であっても良い。
【０１２０】
電極１５０は、上記実施形態のものに限ることはなく、スクリーン印刷法、蒸着法、スパッタリング法等によって、白金、金、銀、カーボン等から形成されたものなどであれば任意である。これらは使用する電子伝達体との相性（電極材料により電極１５０上での酸化されやすさが異なる）により決まる。
また、銀／塩化銀電極である参照電極１５２は、スクリーン印刷法、蒸着法、スパッタリング法等によって一旦銀電極を形成させた後、一定電流を電解する方法、塩化第２銀水溶液中に浸漬する方法、スクリーン印刷法によって塩化銀を塗布・積層させる方法等によって形成されたものなどであれば任意である。
また、電極１５０として、作用電極１５１、参照電極１５２及び対電極１５３の三極構造としたが、電極１５０は、参照電極１５２を設けない二極構造（作用電極１５１及び対電極１５３の二極構造）であっても良い。
【０１２１】
上記実施形態において、検出素子は、電極１５０に限定されるものではなく、検出対象物質と、検出対象物質と選択的に反応する反応物質と、の反応に伴う所定の変化（例えば、物質変化、色変化、吸熱変化、発熱変化、質量変化、抵抗変化、容量変化等）を検出して電気信号に変換できるのであれば任意である。具体的には、検出素子としては、例えば、電極（過酸化水素電極、溶存酸素電極、電気伝導度電極、イオン電極、酸化還元電位電極、櫛型電極、並行平板電極等）、半導体、受光素子、感熱素子、圧電素子、サーミスタ、カンチレバー、イオン感応性電界効果型トランジスタ（ＩＳＦＥＴ）、水晶振動子（ＱＣＭ）、弾性表面波（ＳＡＷ：surface acoustic wave）デバイス等を用いることができる。
【図面の簡単な説明】
【０１２２】
【図１】本実施形態の濃度測定システムの構成を示す図である。
【図２】本実施形態の濃度測定システムが備える測定装置の機能的構成を示すブロック図である。
【図３】初期傾きを説明するための図である。
【図４】本実施形態の濃度測定システム１が備える酵素センサ１００の平面斜視図である。
【図５】図４のV−V線における断面を模式的に示す図である
【図６】図４のVI−VI線における断面を模式的に示す図である。
【図７】透過膜が取り付けられた状態の上側支持体の底面図（ａ）であり、電極が形成された状態の下側支持体の平面図（ｂ）である。
【図８】スペーサを説明するための模式図である。
【図９】本実施形態の濃度測定システムによる、酵素センサを用いた検出対象物質の濃度の測定に関する処理の一例を説明するためのフローチャートである。
【図１０】実施例１で電極と電子伝達体の組み合わせの評価のために行ったＣＶ測定の結果である。
【図１１】実施例１でスペーサの評価のために得た時間変化曲線である。
【図１２】実施例１で検量線データの作成のために得た時間変化曲線である。
【図１３】図１２に示す時間変化曲線の初期部分と、その初期部分を近似して得た近似直線である。
【図１４】実施例１で作成した検量線データである。
【符号の説明】
【０１２３】
１  濃度測定システム
１００  酵素センサ（センサ）
１３０  透過膜
１５０  電極（検出素子）
１７０  スペーサ
１７０ａ  貫通孔
２００  測定装置
２１１  計測回路（計測手段）
２２３  送液ポンプ（導入ポンプ）
２４１  吸気ポンプ（供給ポンプ）
２６１  ＣＰＵ（算出手段、取得手段）
２６３  メモリ部（記憶手段）
２６３ａ  検量線データ
２６４ｃ  測定プログラム（算出手段、取得手段）
Ｒ１  気相室（供給部）
Ｒ２  液相室（検出部）
【図１】
2010107335.tif 000003
【図２】
2010107335.tif 000004
【図３】
2010107335.tif 000005
【図４】
2010107335.tif 000006
【図５】
2010107335.tif 000007
【図６】
2010107335.tif 000008
【図７】
2010107335.tif 000009
【図８】
2010107335.tif 000010
【図９】
2010107335.tif 000011
【図１０】
2010107335.tif 000012
【図１１】
2010107335.tif 000013
【図１２】
2010107335.tif 000014
【図１３】
2010107335.tif 000015
【図１４】
2010107335.tif 000016